(57)【要約】【課題】コネクタ部及びイグナイタの各グランド用端子での電位状態を安定化させ得る内燃機関用点火装置を提供する。【解決手段】グランド用端子ｔｇ１を配備させたコネクタ部１２０と、コイルアセンブリ１１０を構成する鉄心１１３と、パワートランジスタ１３２の動作に応じて一次電流を断続的に発生させるイグナイタ１３０と、鉄心１１３とエンジンブロックとを電気的に接続させたグランド中継部とを備え、グランド用端子ｔｇ１及びグランド中継部が前記鉄心を介して電気的に接続される第１のグランド電流経路Ｉｇ１と、一次電流が鉄心１１３を介してグランド中継部へ通電される第２のグランド電流経路Ｉｇ２とが形成され、第１のグランド電流経路Ｉｇ１は、グランド用端子ｔｇ１から鉄心１１３までの区間で、第２のグランド電流経路Ｉｇ２との合流点を持たない。【選択図】図２
2014211117.tif 000002
【特許請求の範囲】
【請求項１】
少なくともグランド用端子を配備させたコネクタ部と、コイルアセンブリを構成する鉄心と、パワートランジスタを具備し当該パワートランジスタの動作に応じて前記コイルアセンブリの一次電流を断続的に発生させるイグナイタと、前記鉄心と車両の基準電位部とを電気的に接続させたグランド中継部と、を備え、
前記グランド用端子及び前記グランド中継部が前記鉄心を介して電気的に接続される第１のグランド電流経路と、前記パワートランジスタを通過した一次電流が前記鉄心を介して前記グランド中継部へ通電される第２のグランド電流経路と、が形成され、
前記第１のグランド電流経路は、前記グランド用端子から前記鉄心との接点に至る迄の区間で、前記第２のグランド電流経路との合流点を持たない電流経路であることを特徴とする内燃機関用点火装置。
【請求項２】
前記イグナイタは、前記コイルアセンブリと前記コネクタ部との間に配置されることを特徴とする請求項１に記載の内燃機関用点火装置。
【請求項３】
前記コイルアセンブリは、固定フランジとイグナイタとの間に配置されることを特徴とする請求項２に記載の内燃機関用点火装置。
【請求項４】
前記基準電位部は、前記車両に搭載されたエンジンブロックとの接触部であることを特徴とする請求項１乃至請求項３の何れか一項に記載の内燃機関用点火装置。
【請求項５】
前記グランド中継部は、当該グランド中継部を構成する中継端子と、前記金属ブッシュとを接触させることで、前記基準電位部へ電気的に接続されることを特徴とする請求項１乃至請求項４の何れか一項に記載の内燃機関用点火装置。
【発明の詳細な説明】
【技術分野】
【０００１】
本発明は、内燃機関用点火装置に関し、特に、コイル鉄心を基準電位部へ電気的に接続させたものに関する。
【背景技術】
【０００２】
特開平０３−０２８８０２号公報（特許文献１）では、コイルアセンブリの鉄心をアースさせる内燃機関用点火コイルが紹介されている。かかる点火コイルは、イグナイタをコイル鉄心に搭載させ、イグナイタのグランド端子をコイル鉄心に導通させている。同公報では、このような構成により、パワートランジスタからアースへの経路を短くでき、当該経路で発生する電磁ノイズを低減できる、と説明されている。
【０００３】
ところで、特許文献１の技術では、コネクタ部に配備された端子との接続状態が何ら示されていない。但し、イグナイタの端子がコネクタ部の近傍に配置される場合、イグナイタのグランド用端子とコネクタ部のグランド用端子とを溶接等によって直接的に接続させるのが技術常識である。即ち、かかる技術常識によれば、図３に示すような回路構成とされることを意味する。
【０００４】
特に、「フランジ部１５０  −  コイルアセンブリ１１０−  イグナイタ１３０  −  コネクタ部１２０（図１参照）」の順で構成部品が配置される場合、イグナイタ２３０及びコネクタ部１２０の周辺に各種配線が集約される一方で、コイル鉄心１１３と基準電位ＧＮＤとの配線区間では、回路構成を簡素化させるため、グランド用端子ｔｇ１等からの配線が極力避けられる（図３参照）。
【先行技術文献】
【特許文献】
【０００５】
【特許文献１】特開平０３−０２８８０２号公報
【発明の概要】
【発明が解決しようとする課題】
【０００６】
図３の回路構成では、コネクタ部のグランド用端子ｔｇ１からの電流経路Ｉｇ０と、イグナイタのグランド用端子ｔｇ２からの電流経路ｔｇ２と、の合流点ｊｘが現れる。このため、各グランド用端子の電位は、其の電位が変動すると、互いに影響してしまうこととなる。これによれば、イグナイタ２３０のグランド電位にノイズが生じた場合、ＥＣＵ（Engine Control Unit）等から供給される信号波形を乱してしまうとの問題が生じる。また、コネクタ部１２０のグランド電位にノイズが生じると、パワートランジスタ２３２の動作が不安定となり、コイルアッセンブリ１１０から所期の昇圧電圧を得ることが出来なくなる。
【０００７】
本発明は上記課題に鑑み、コネクタ部及びイグナイタの各グランド用端子での電位状態を安定化させ得る内燃機関用点火装置の提供を目的とする。
【課題を解決するための手段】
【０００８】
上記課題を解決するため、本発明では次のような内燃機関用点火装置の構成とする。即ち、少なくともグランド用端子を配備させたコネクタ部と、コイルアセンブリを構成する鉄心と、パワートランジスタを具備し当該パワートランジスタの動作に応じて前記コイルアセンブリの一次電流を断続的に発生させるイグナイタと、前記鉄心と車両の基準電位部とを電気的に接続させたグランド中継部と、を備え、
前記グランド用端子及び前記グランド中継部が前記鉄心を介して電気的に接続される第１のグランド電流経路と、前記パワートランジスタを通過した一次電流が前記鉄心を介して前記グランド中継部へ通電される第２のグランド電流経路と、が形成され、
前記第１のグランド電流経路は、前記グランド用端子から前記鉄心との接点に至る迄の区間で、前記第２のグランド電流経路との合流点を持たない電流経路であることとする。
【０００９】
上述した各々の発明について、好ましくは、前記イグナイタは、前記コイルアセンブリと前記コネクタ部との間に配置されることとする。特に好ましくは、前記コイルアセンブリは、固定フランジとイグナイタとの間に配置されることとする。
【００１０】
より好ましくは、前記基準電位部は、前記車両に搭載されたエンジンブロックとの接触部であることとする。
【００１１】
更に好ましくは、前記グランド中継部は、当該グランド中継部を構成する中継端子と、前記金属ブッシュとを接触させることで、前記基準電位部へ電気的に接続されることとする。
【発明の効果】
【００１２】
本発明に係る内燃機関用点火装置によると、コネクタ部のグランド用端子から鉄心へ至る電流経路と、イグナイタのグランド用端子から鉄心へ至る電流経路と、が交錯せずに各々個別に形成される。このため、各グランド用端子に対応するアース電流は、鉄心に至るまで個別の経路を辿ることになる。従って、各グランド用端子は、他方のグランド用端子の電位が乱動しても其の影響が抑えられ、安定した電位を維持することが可能となる。
【図面の簡単な説明】
【００１３】
【図１】内燃機関用点火装置の一般的外観図を示す図。
【図２】本実施の形態に係る内燃機関用点火装置の回路構成を示す図。
【図３】従来例に係る内燃機関用点火装置の回路構成を示す図。
【発明を実施するための形態】
【００１４】
以下、本発明に係る実施の形態につき図面を参照して具体的に説明する。図１は、本実施の形態に係る内燃機関用点火装置の構成が説明されている。図示の如く、内燃機関用点火装置１００（以下、点火装置１００と呼ぶ）は、熱可塑性樹脂によって筐体部が形成される。かかる筐体部は、コネクタ部１２０と、コイル収容部１４０と、固定フランジ１５０と、出力部１６０とが一体成形されている。本実施の形態の場合、コイル及びイグナイタ等といった内部構成をアセンブルさせた後に熱可塑性樹脂によって射出成形させているが、特許請求の範囲における点火装置はこれに限られるものではない。
【００１５】
コネクタ部１２０は、殻状体内部に複数の端子が配備され、ハーネス（図示なし）を介してＥＣＵ（Engine Control Unit）といった車載電子機器に接続される。これにより、コネクタ部１２０は、車載電子機器との配線がなされ、点火信号・電源電力等が印加されることとなる。
【００１６】
出力部１６０は、二次コイル１１２の出力端に導通された高圧端子（図示なし）が内蔵され、これを周囲から絶縁するよう熱可塑性樹脂が覆われている。但し、出力部１６０の下部には、高圧ターミナル（図示なし）との電路が確保され、この高圧ターミナルを介して点火プラグへ電気的に接続される。
【００１７】
コイル収容部１４０は、コイルアセンブリ（一次コイル１１１，二次コイル１１２，及び，鉄心，が主な構成）が、内部へ収容されている。これらは、互いに絶縁されており、鉄心の軸心を基準軸として、一次コイル用のワイヤー線及び二次コイル用のワイヤー線が巻回されている。コイル収容部１４０は、熱可塑性樹脂によってコイルアセンブリ周辺を絶縁させており、コイルアセンブリから高電圧が発生する際も電気的絶縁を保っている。
【００１８】
本実施の形態に係るコイル収容部１４０は、イグナイタ１３０の内蔵基板を縦型に配置させ、イグナイタ１３０の一部の端子とコネクタ部１２０の一部の端子とを電気的に接続させている。このように、本実施の形態では、コイルアセンブリ１１０とコネクタ部１２０との間にイグナイタ１３０を配置させることで、コネクタ部１２０とイグナイタ１３０とが接近するようレイアウトされ、互いの端子接続の容易化が図られる。また、イグナイタ１３０の端子を上方に配置させることで、其の端子接続がより容易に行われる。
【００１９】
固定フランジ１５０は、コイル収容部に隣接する位置に、当該コイル収容部と一体的に成形されている。固定フランジ１５０は、舌片状の形体を呈しており、所定箇所にアルミ材等の金属ブッシュ１５１を埋設させている。このブッシュ１５１は、固定ボルトの挿通が可能な中空管が好ましく、当該固定ボルトによってエンジンブロック（図示なし）へ固定される。また、ブッシュ１５１は、鉄心１１３と電気的に接続されている。従って、「鉄心１１３→ブッシュ１５１→エンジンブロック」といった導通経路，又は，「鉄心１１３→ブッシュ１５１→固定ボルト→エンジンブロック」といった導通経路が形成されることとなる。
【００２０】
本実施の形態では、固定フランジ１５０とイグナイタ１３０との間に、コイルアセンブリ１１０が配置されている。即ち、本実施の形態に係る点火装置１００は、「フランジ部  −  コイルアセンブリ  −  イグナイタ  −  コネクタ部」の順で配置され、イグナイタ１３０及びコネクタ部１２０の近傍では、各種配線が集約される（以下、この部分を端子集約部と呼ぶことがある）。その一方、鉄心１１３とブッシュ１５１との通電区間では、コネクタ部１２０とブッシュ１５１との距離が長くなるので、コネクタ部１２０又はイグナイタ１３０の端子と直接導通されるような配線は回路構成の簡素化を図る上で好ましくない。これについての解決手段は、追って詳述することとする。
【００２１】
以下、図２を参照し、本実施の形態に係る点火装置の回路構成を説明すると供に、アース電流の電流経路について説明する。上述したコネクタ部１２０は、バッテリー端子ｔｂ１と、グランド用端子ｔｇ１と、信号用端子ｔｓ１とを配備させている。これらの端子は、ハーネスを介して車載電子機器（自動車に搭載された装置）に接続され、これにより、電源及び信号が供給され、車載電子機器のグランド電極と点火装置１００のグランド電極とが導通される。
【００２２】
また、イグナイタ１３０は、制御基板１３１とパワートランジスタ１３２とを具備し、バッテリー端子ｔｂ２，信号用端子ｔｓ２，一次電流入力端子ｔｃ，及び，一次電流出力端子ｔｇ２を配備させている。制御基板１３１は、端子ｔｂ２を介してバッテリー端子ｔｂ１に接続され、制御基板用の電圧値（例えば，５Ｖ）がレギュレータＲＥＧによって印加される。また、制御基板１３１は、端子ｔｓ２を介して信号用端子ｔｓ１に接続され、制御回路Ｃｓｇに点火信号が入力される。この制御回路Ｃｓｇは、適宜の回路を具備し、点火信号の再成形，セルフシャット機能，ソフトシャット機能等を実現させる。そして、パワートランジスタ１３２では、制御回路Ｃｓｇを介して点火信号が入力されると、端子ｔｃから端子ｔｇ２へ向けて電流を通過させる。
【００２３】
当該パワートランジスタ１３２は、其の入力側が一次コイル１１１を介してバッテリー端子ｔｂ１に接続され、出力側が鉄心１１３に接続されている。従って、パワートランジスタ１３２の通過電流は、コイルアセンブリの一次コイル１１１を流れる一次電流に相当し、これが点火信号によって制御されることとなる。尚、この一次電流は、数μｓｅｃオーダーにてオン／オフ動作がエンジン回転数に応じて繰り返し発生する。
【００２４】
コイルアセンブリ１１０は、その一部に一次コイル１１１及び二次コイル１１２が巻回され、双方のコイルが電磁的に結合された状態とされる。従って、コイルアセンブリ１１０は、一次電流が変動すると、これに応じて二次巻線１１２が励起され、数百Ｖの高電圧を発生させる。このとき、点火プラグＰＧでは、この高電圧を受けて、プラグギャップを放電させることとなる。
【００２５】
図示の如く、鉄心１１０は、複数の電極または電路との電気的接点ｊ１〜ｊ３を有している。但し、この電気的接点とは、配線端点との接点を指すものに限らず、ハンダ層による接触面、リードフレームによる接触面、その他の導電性材料を介した接点等もこれに含まれる。
【００２６】
先ず、鉄心１１３は、配線Ｌｇ１及び電気的接点ｊ１を介して、コネクタ部のグランド用端子ｔｇ１に接続される。また、鉄心１１３は、配線Ｌｇ２及び電気的接触点ｊ２を介して、イグナイタ１３０の一次電流出力端子ｔｇ２に接続される。更に、当該鉄心１１３は、配線Ｌｇ３及び電気的接触点ｊ３を介して中継端子ｔｇ３に導通され、この中継端子ｔｇ３は、自動車に搭載されたエンジンブロックとの接触部を有することで、自動車の基準電位と同電位にされる。尚、エンジンブロックは、車両のシャーシへ電気的に接続されており、当該シャーシと同電位とされている。
【００２７】
特に、この中継端子ｔｇ３は、ブッシュ１５１の断面と同様なボルト穴を設け、当該ブッシュ及びボルトに接触するよう配置されるのが好ましい。これにより、鉄心１１３では、点火装置１００をエンジンブロックへボルト固定させるのみによって、容易に、自動車の基準電位部との導通経路が形成されることとなる。
【００２８】
尚、同図において、電気的接点ｊ３及び配線Ｌｇ３及び中継端子ｔｇ３は、特許請求の範囲におけるグランド中継部に相当するものであって、かかる形態に限られるものではない。例えば、これらがハンダ層のみによって構成される場合も知あり得るし、リードフレームのみによって構成される場合もあり得る。また、特許請求の範囲におけるグランド中継部は、これらの構成のうち何れかを適宜組み合わせたものであっても良い。
【００２９】
本実施の形態によると、コイルアセンブリを流れる一次電流は、「バッテリーＶｂ（１２Ｖ〜２４Ｖ）→一次コイル１１１→パワートランジスタ１３２」という電流入力経路を辿り、その後、「パワートランジスタ→鉄心１１３→グランド中継部→エンジンブロック」という第２のグランド電流経路Ｉｇ２を辿る。一方、ノイズに伴う電圧成分がグランド用端子ｔｇ１へ印加されると、これによる電流は、「グランド用端子ｔｇ１→鉄心１１３→グランド中継部→エンジンブロック」という第１のグランド電流経路Ｉｇ１を辿る。
【００３０】
即ち、鉄心１１３は、自身を介して、第１のグランド電流経路Ｉｇ１と第２のグランド電流経路Ｉｇ２とを形成させる。従って、グランド用端子ｔｇ１から端子ｔｇ２へ至る経路には、鉄心１１３が必ず介在することとなる。このため、第１のグランド電流経路Ｉｇ１は、グランド用端子ｔｇ１から接点ｊ１に至る区間で、第２の電流経路Ｉｇ２との合流点を持たない。また、第２のグランド電流経路Ｉｇ２は、端子ｔｇ２から接点ｊ２に至る区間で、第１の電流経路Ｉｇ２との合流点を持たない。
【００３１】
そして、鉄心１１３では、各々独立した経路を与えた上で、両経路を流れる電流（アース電流）をグランド中継部へ合流させている。このように、本実施の形態では、グランド電流経路Ｉｇ１及びＩｇ２を異なる経路とさせること、このアース電流が鉄心を介してエンジンブロックへアースされること、の２点によって、アース電流の電路の交錯を防ぎ、互いのグランド用端子ｔｇ１，ｔｇ２の電位の干渉を防いでいる。
【００３２】
このため、各グランド用端子は、他方のグランド用端子の電位が乱動しても、これによって生じるアース電流が速やかにエンジンブロック側へ導かれ、当該端子でのノイズが直ちに収束する。この動作にあっては、鉄心１１３によって他方のグランド用端子での電位変動が抑えられるので、双方のグランド用端子は、互いに干渉することなく、安定した基準電位を維持することが可能となる。
【００３３】
従って、イグナイタ１３０では、車載電子機器でのアース電位の乱動による影響が最小限に抑えられるので、パワートランジスタ１３２の動作が安定する。また、車載用電子機器では、イグナイタ１３０のグランド電位（ｔｇ２の電位）が変動しても、これによる影響が最小限に抑えられるので、点火信号の波形品質が好適に保たれる。従って、本実施の形態によれば、かかる効果によって、コイルアセンブリから出力される昇圧電圧が適正値とされ、所期の運転状態による内燃機関の制御を実現させる。
【００３４】
同図によれば、電気的接点ｊ１と電気的接点ｊ２との間に接点ｊ３を配置させ、双方のグランド電流経路を鉄心内でも独立させるよう工夫されている。また、アース電流をより効果的に通過させたいのであれば、接点ｊ１と接点ｊ３との距離，又は，接点ｊ２と接点ｊ３との距離を短くし、鉄心１１３を通過する際の電流抵抗を低下させるよう工夫すると良い。
【００３５】
尚、本実施の形態によれば、鉄心１１３と金属ブッシュ１５１とを導通させるグランド中継部が、コネクタ側でなく、フランジ側に設けられている。これにより、点火装置１００は、配線引き回し・製造工程等の簡素化が図られ、且つ、グランド中継部での配線抵抗が抑えられる。
【００３６】
一方、本実施の形態に係る点火装置１００は、「フランジ部  −  コイルアセンブリ  −  イグナイタ  −  コネクタ部」の順で配置されるところ、イグナイタ１３０及びコネクタ部１２０の周辺に端子集約部が形成される。このため、グランド用端子以外の端子については、当該端子集約部によって配線の接続が容易に行われる。一方、各グランド用端子については、当該端子近傍で鉄心１１３と電気的に接続させることにより、双方の電流経路を容易に形成させることが可能となる。即ち、本実施の形態では、グランド中継部に複雑なリード配線を引き回さなくとも、容易にグランド電流経路を形成させることが可能となる。
【符号の説明】
【００３７】
１００  内燃機関用点火装置，    １２０  コネクタ部，    ｔｇ１  グランド用端子，    １１０  コイルアセンブリ，    １１３  鉄心，    １３０  イグナイタ，    １３１  パワートランジスタ，    ＧＮＤ  車両の基準電位部（エンジンブロック），    ｔｇ３  中継端子，    １５０  固定フランジ，    １５１  金属ブッシュ，    Ｉｇ１  第１のグランド電流経路，    Ｉｇ２  第２のグランド電流経路，    ｊｘ  電流経路の合流点。
【図１】
2014211117.tif 000003
【図２】
2014211117.tif 000004
【図３】
2014211117.tif 000005